(57)【要約】【課題】ディスプレイ台の側壁に簡単なストッパ部材を設けることで、ディスプレイ台上に載置した商品見本をその展示位置で直立姿勢に安定保持できるように改良した自動販売機のディスプレイ装置を提供する。【解決手段】商品見本７を載置したディスプレイ台８を左右一対のブラケット１１の間に跨がり架設して外扉の電照室内に配置した自動販売機のディスプレイ装置であって、前記ディスプレイ台の左右両端から垂下する側壁８ａに支持軸１２を装着するとともに、ブラケットには略Ｌ字状の異形なバヨネット溝１１ａを形成し、該バヨネット溝に前記支持軸を嵌入してディスプレイ台をブラケットの上に係合支持したものにおいて、前記ディスプレイ台の側壁にブラケットの前端側に向けて突き出すストッパ片８ｂを設け、ディスプレイ台を展示位置に押し込んだ状態でストッパ片８ｂをブラケット１１の前縁に当てて所定位置に保持させる。これにより、商品見本の重心が支持軸より前方に偏倚していても、ディスプレイ台，商品見本が展示位置で前傾するのを阻止できる。【選択図】図１
2008257533.tif 000002
【特許請求の範囲】
【請求項１】
商品見本を載置したディスプレイ台を左右一対のブラケット間に架設して外扉の電照室内に配置した自動販売機のディスプレイ装置であって、ディスプレイ台の左右端から垂下する側壁に支持軸を装着するとともに、ブラケットには略Ｌ字状の異形なバヨネット溝を形成し、該バヨネット溝に前記支持軸を嵌入してディスプレイ台をブラケットの上に係合支持したものにおいて、
前記ディスプレイ台の側壁にブラケットの前端側に向けて突き出すストッパ片を設け、ディスプレイ台を展示位置に押し込んだ際に前記ストッパ片をブラケットの前縁に当てて所定位置に保持するようにしたことを特徴とする自動販売機のディスプレイ装置。
【請求項２】
請求項１に記載のディスプレイ装置において、ディスプレイ台が板金加工品になり、そのストッパ片を側壁から内側に折り曲げ形成したことを特徴とする自動販売機のディスプレイ装置。
【発明の詳細な説明】
【技術分野】
【０００１】
本発明は、自動販売機の外扉に画成した電照室に配備して商品見本を展示するディスプレイ装置の構成に関する。
【背景技術】
【０００２】
頭記のディスプレイ装置として、商品見本を載置したディスプレイ台を左右一対のブラケットの間に跨がって着脱可能に架設し、ここでディスプレイ台にはその左右両端から垂下する側壁の略中央に樹脂成形品になる筒形の支持軸を装着するとともに、該支持軸に対応してブラケットには略Ｌ形の異形なバヨネット溝を形成し、このバヨネット溝に前記支持軸を嵌入してディスプレイ台をブラケットに係合支持するようにした構成のものが知られている（例えば、特許文献１参照）。
上記構造のディスプレイ装置によれば、商品見本の清掃，付替えなどを行うメンテナンス時には、ブラケットに支持したままディスプレイ台を前記のバヨネット溝に沿って前方に引出したり、この引出し位置でディスプレイ台を前傾姿勢に傾けてメンテナンス作業を行うことかできる。
【特許文献１】特開平１０−１９１５１２号公報
【発明の開示】
【発明が解決しようとする課題】
【０００３】
ところで、前記の特許文献１に開示されているディスプレイ装置の構造では次記のような問題点がある。すなわち、昨今では商品見本として缶商品よりも大形のペットボトル商品などに対応したもの、あるいは外形が容器の前半部分だけの半切りタイプなどがあり、このような商品見本をディスプレイ台の上に並べて載置陳列するとその重心位置がディスプレイ台に設けた支持軸よりも前方に移動するようになる。
このために、ディスプレイ台を展示位置に押し込みセットした状態ではディスプレイ台が前方に傾いてディスプレイ台上に並ぶ商品見本の姿勢が前傾し、商品見本に印刷されている表示内容が見えにくくなるほか、外見上の体裁も損なわれる。また、ディスプレイ台を前方に引き出したメンテナンス位置から展示位置に押し戻す場合に、所定位置よりも奥に押込み過ぎると前記とは逆にディスプレイ台が後方に傾いて商品見本の展示姿勢が後傾したり、樹脂成形品の支持軸がブラケットのバヨネット溝の後端に衝突して不測に破損するおそれもある。
【０００４】
本発明は上記の点に鑑みなされたものであり、ディスプレイ台の側壁に簡単なストッパ部材を設けることで、ディスプレイ台上に載置した商品見本をその展示位置で直立姿勢に安定保持できるように改良した自動販売機のディスプレイ装置を提供することを目的とする。
【課題を解決するための手段】
【０００５】
上記目的を達成するために、本発明によれば、商品見本を載置したディスプレイ台を左右一対のブラケットの間に跨がって架設して外扉の電照室内に配置した自動販売機のディスプレイ装置であって、前記ディスプレイ台の左右両端から垂下する側壁に支持軸を装着するとともに、ブラケットには略Ｌ字状の異形なバヨネット溝を形成し、該バヨネット溝に前記支持軸を嵌入してディスプレイ台をブラケットの上に係合支持したものにおいて、
前記ディスプレイ台の側壁にブラケットの前端側に向けて突き出すストッパ片を設け、ディスプレイ台を展示位置に押し込んだ状態で前記ストッパ片をブラケットの前縁に当てて所定位置に保持するようにし（請求項１）、ここで前記のディスプレイ台は板金加工品になり、そのストッパ片を側壁から内側に折り曲げ形成する（請求項２）。
【発明の効果】
【０００６】
上記構成により、ディスプレイ台の支持軸をブラケットに形成したバヨネット溝に嵌入して前方から展示位置に押し込むと、支持軸（樹脂成形品）がバヨネット溝の後端に衝突する前にストッパ片がブラケットの前縁に当たってディスプレイ台をこの展示位置に停止保持させる。これにより、商品見本を載置したディスプレイ台全体の重心位置が支持軸より前方に偏倚していても、ディスプレイ台上に載置した商品見本が前傾姿勢に傾くのを阻止して安定した展示姿勢に保持できる。
また、前記ストッパ片は、商品見本の前傾を阻止する機能のほかに、ディスプレイ台を展示位置に押し込んだ際の停止位置決め、支持軸の不測な損傷防止，およびディスプレイ台／ブラケット間の寸法，組立誤差によるガタツキ防止の機能も有し、これによりディスプレイ台の取扱性，商品見本の展示性の向上化が図れる。
【発明を実施するための最良の形態】
【０００７】
以下、本発明の実施の形態を図１〜図３に示す実施例に基づいて説明する。なお、図１は商品見本を載置したディスプレイ台を陳列位置に押込みセットした状態の外観斜視図、図２（ａ），（ｂ）はそれぞれ図１の側面図，およびブラケット部品の側面図、図３は自動販売機全体の正面図である。
まず、図３において、１は自動販売機のキャビネット、２はキャビネット１の前面に配した外扉、３は外扉の上部側に画成した電照室、４はコイン投入口、５は紙幣挿入口、６は商品取出口であり、前記電照室３の内部には商品見本７を載置したディスプレイ台８が上下段に配備されている。なお、９は電照室３の前面に配設した商品選択ボタンである。
次に、前記したディスプレイ台８の詳細な取付構造を図１および図２で説明する。すなわち、ディスプレイ台８は鋼板などで作られた棚板形状の板金加工品になり、各段のディスプレイ台に対応して電照室３の背面扉１０に固定した左右一対のブラケット１１の間に跨がって架設されている。
【０００８】
ここで、ディスプレイ台８は左右両端に垂下した側壁８ａを有し、その略中央には樹脂成形品になる筒形の支持軸１２（支持軸の構造は特許文献１に詳しく述べられている）が装着されている。また、側壁８ａの中段前部にはブラケット１１の前方に向けて突き出すようにＬ形のストッパ片８ｂが形成されている。なお、このストッパ片８ｂはディスプレイ台８の板金加工で同時に形成する。一方、前記支持軸１２に対向してブラケット１１には、図２（ｂ）で示すような略Ｌ字状になる異形のバヨネット溝１１ａが切欠き形成されている。なお、１３はディスプレイ台８の下面側に配した照明用の蛍光灯である。
上記の構成で、ディスプレイ台８はその左右側壁８ａに装着した支持軸１２をブラケット１１のバヨネット溝１１ａに嵌入してブラケットの上に架設する。この取付け状態で、商品見本７の清掃，付替えなどのメンテナンス作業を行う場合には、前記した電照室３の背面扉１０を開いた上で、ディスプレイ台８をブラケット１１のバヨネット溝１１ａに沿って前方に引出し、この位置で前傾姿勢に倒してメンテナンス作業を行う。また、この位置からディスプレイ台８を元の姿勢に戻して図示の展示位置に向けて押し込むと、支持軸１２がバヨネット溝１１ｂの後端縁に突き当たる直前に前記したストッパ片８ｂがブラケット１１の前縁に当たってディスプレイ台８をこの位置に停止，保持させる。この状態では、ディスプレイ台８に載置した商品見本７が図示のように直立姿勢となる。
【０００９】
なお、この場合に商品見本７が例えば図２（ａ）で示すような大形のペットボトルであり、その重心位置Ｇが支持軸１２よりも前方側に偏倚してディスプレイ台８に矢印方向のモーメント荷重Ｆが加わっても、前記したストッパ片８ｂがブラケット１１の前縁に当たっているので商品見本７，ディスプレイ台８の姿勢が前傾するおそれはない。また、ディスプレイ台８を過度に押し込もうとしてもストッパ片８ｂで阻止されるので商品見本７の姿勢が後傾することもなく、しかも樹脂成形品の支持軸１２はブラケット１１のバヨネット溝後端に衝突することがないので不測な破損発生を回避できる。さらに、ストッパ片８ｂをブラケット１１の前縁に押し当ててこの位置に保持することで、ディスプレイ台８／ブラケット１１間の部品寸法，組立誤差によるガタツキの発生も防げる。
【図面の簡単な説明】
【００１０】
【図１】商品見本を載置したディスプレイ台を陳列位置に押込みセットした状態の外観斜視図
【図２】図１の詳細構造図で（ａ），（ｂ）はそれぞれ図１の側面図，およびブラケット部品の側面図
【図３】自動販売機全体の正面図
【符号の説明】
【００１１】
２    外扉
３    電照室
７    商品見本
８    ディスプレイ台
８ａ  側壁
８ｂ  ストッパ片
１１    ブラケット
１１ａ  バヨネット溝
１２    支持軸
【図１】
2008257533.tif 000003
【図２】
2008257533.tif 000004
【図３】
2008257533.tif 000005